(57)【特許請求の範囲】
【請求項１】
メインＣＰＵボードとイーサネットボードとをバス結合し、イーサネットボードとヒューマンインタフェース装置とはＴＣＰ／ＩＰプロトコルを使用して通信を行う保護継電システムにおいて、
前記メインＣＰＵボードは、ＩＰアドレス管理エリアを有してＩＰアドレスを保管・管理し、前記イーサネットボードは、前記ヒューマンインタフェース装置との通信に際して使用するＩＰアドレス仮保管エリアと、ＩＰアドレスを非常時に使用する既知ＩＰアドレス保管エリアを設け、
前記イーサネットボードは、
通常時は、前記メインＣＰＵボードから受信したＩＰアドレスを前記ＩＰアドレス仮保管エリアに設定し、このＩＰアドレスで前記ヒューマンインタフェース装置との通信を行う手段と、
前記メインＣＰＵボードの交換等によりＩＰアドレスが不明になったとき、前記既知ＩＰアドレス保管エリアのＩＰアドレスを前記ＩＰアドレス仮保管エリアに書込み、このＩＰアドレスで前記ヒューマンインタフェース装置との通信を行う手段とを備えたことを特徴とする保護継電システム。
【発明の詳細な説明】
【０００１】
【発明の属する技術分野】
本発明は、電力系統を保護する保護継電システムに係り、特に計測値や保護情報の通信にＴＣＰ／ＩＰプロトコルを使用する際のＩＰアドレス管理・保管方式に関する。
【０００２】
【従来の技術】
近年の保護継電装置では、装置の操作や系統状態把握を行うために、フラットディスプレイとタッチパネルで実現していたヒューマンインタフェース装置（ＨＩ）を、コスト削減等の理由からパーソナルコンピュータ（パソコン）上のディスプレイとアプリケーションで実現している。また、装置間の情報通信には、パソコンに搭載するＲＳ２３２Ｃ等のシリアル伝送装置を利用している。
【０００３】
しかし、最近では、変電所等の無人化が進み、保守の省力化を目的としたヒューマンインタフェース方式の遠隔化が進み、従来のＲＳ２３２Ｃによる伝送方式では、不都合な点も多く、近年のＬＡＮ（ローカルエリアネットワーク）の普及に伴い、ＬＡＮの代表通信方式になうイーサネットを用いたＴＣＰ／ＩＰプロトコル伝送方式のヒューマンインタフェースを採用するようになってきている。
【０００４】
ＴＣＰ／ＩＰプロトコルは、伝送を行うネットワーク機器（パソコンや保護継電装置）毎にＩＰアドレスが必要であり、保護継電装置でも装置毎にＩＰアドレスを設定することになる。ＩＰアドレスの設定は、通常、ネットワーク機器のメインＣＰＵボードに保管され、初期化時等にイーサネットボードに設定される。
【０００５】
【発明が解決しようとする課題】
保護継電装置では、装置不具合時に原因と見られるボードを交換する場合があり、メインＣＰＵボードもその交換を行う場合がある。各種整定（設定）値を保管するメインＣＰＵボードの交換においては、それら値が喪失され、これら値を再設定する必要がある。しかし、これら値の設定ツールであるヒューマンインタフェース装置は、ＴＣＰ／ＩＰプロトコル伝送方式となっているため、メインＣＰＵボードが保管する設定値の１つであるＩＰアドレスが初期状態（不定状態）では、メインＣＰＵボードとの接続ができない。
【０００６】
このため、メインＣＰＵボードの交換に際しては、そのＩＰアドレスを含む整定（設定）値を再設定する必要がある。
【０００７】
本発明の目的は、メインＣＰＵボードの交換等に際してＩＰアドレス等の自動再設定ができる保護継電システムを提供することにある。
【０００８】
【課題を解決するための手段】
本発明は、保護継電装置のＩＰアドレスをメインＣＰＵボードが保管・管理し、このＩＰアドレスをイーサネットボードの仮保管エリアに書込んでヒューマンインタフェース装置と通信を行い、イーサネットボードには既知ＩＰアドレスの保管エリアを設けて現在のＩＰアドレスを保管しておき、メインＣＰＵボードの交換などでＩＰアドレスに不具合が起きたときに既知のＩＰアドレスを仮保管エリアに書込むことでその再設定を不要にしたもので、以下の構成を特徴とする。
【０００９】
メインＣＰＵボードとイーサネットボードとをバス結合し、イーサネットボードとヒューマンインタフェース装置とはＴＣＰ／ＩＰプロトコルを使用して通信を行う保護継電システムにおいて、
前記メインＣＰＵボードは、ＩＰアドレス管理エリアを有してＩＰアドレスを保管・管理し、前記イーサネットボードは、前記ヒューマンインタフェース装置との通信に際して使用するＩＰアドレス仮保管エリアと、ＩＰアドレスを非常時に使用する既知ＩＰアドレス保管エリアを設け、
前記イーサネットボードは、
通常時は、前記メインＣＰＵボードから受信したＩＰアドレスを前記ＩＰアドレス仮保管エリアに設定し、このＩＰアドレスで前記ヒューマンインタフェース装置との通信を行う手段と、
前記メインＣＰＵボードの交換等によりＩＰアドレスが不明になったとき、前記既知ＩＰアドレス保管エリアのＩＰアドレスを前記ＩＰアドレス仮保管エリアに書込み、このＩＰアドレスで前記ヒューマンインタフェース装置との通信を行う手段とを備えたことを特徴とする。
【００１０】
【発明の実施の形態】
図１は、本発明の実施形態を示すシステム構成図である。メインＣＰＵボード１とイーサネットボード２はバス結合され、イーサネットボード２はイーサネットでパソコン構成のヒューマンインタフェース装置３との間の通信を可能にする。
【００１１】
メインＣＰＵボード１は、ＩＰアドレス管理エリア１1を有してＩＰアドレスを保管・管理する。イーサネットボード２は、ヒューマンインタフェース装置３との通信に際して使用するＩＰアドレスを仮保管するエリア２1と、ＩＰアドレスを非常時に使用する既知ＩＰアドレス保管エリア２2を設ける。
【００１２】
このシステム構成において、ヒューマンインタフェース装置３は、イーサネットボード２を介してメインＣＰＵボード１とデータの送受信を行う。通常時にはＩＰアドレスはメインＣＰＵボード１が管理し、イーサネットボード２には非常時に使用する既知のＩＰアドレスを保管し、ヒューマンインタフェース装置３の要求によるメインＣＰＵボード１からの強制変更指令、又はメインＣＰＵボードの交換に伴うＩＰアドレスが無効になった場合には自動的に既知のＩＰアドレスへ変更する。
【００１３】
以上のＩＰアドレスの保管・管理方式は、図２のフローチャートで示すようになり、処理ステップＳ１１〜Ｓ１４、Ｓ２１〜２８として以下に説明する。
【００１４】
（Ｓ１１）メインＣＰＵボード１は、ＩＰアドレスを保管・管理し、初期化処理では管理用エリア１1から読み出したＩＰアドレスをイーサネットボード２に送信する。
【００１５】
（Ｓ２１，Ｓ２２）イーサネットボード２は、初期化処理ではメインＣＰＵボードからＩＰアドレスを受信し、このＩＰアドレスが有効か否かをチェックサムやＣＲＣ等の診断方法で判断する。
【００１６】
（Ｓ２３）イーサネットボード２は、メインＣＰＵボードから受信したＩＰアドレスが有効であった場合、自己ボードのＩＰアドレスとして仮保管エリア２1に初期値として書込む。
【００１７】
（Ｓ２８）イーサネットボード２は、受信したＩＰアドレスが無効であった場合、自己ボードで保管する既知ＩＰアドレス保管エリア２2から読み出したＩＰアドレスを仮保管エリア２1に書込む。この場合のみ、既知ＩＰアドレス保管エリア２2から仮保管エリア２1へのＩＰアドレスの書込みを行う。
【００１８】
（Ｓ１２〜Ｓ１４）メインＣＰＵボード１は、ヒューマンインタフェース装置３からのＩＰアドレス変更要求があった場合、この要求を判断し、ＩＰアドレス管理エリア１1の内容を書換え、その後に変更したＩＰアドレスをイーサネットボード２に送信する。
【００１９】
（Ｓ２１〜Ｓ２３）メインＣＰＵボード１から変更ＩＰアドレスを受信したイーサネットボード２は、仮保管エリア２1に書込み、その更新をする。
【００２０】
（Ｓ２４〜Ｓ２６）イーサネットボード２は、ヒューマンインタフェース装置３が接続中か否かを判断し、さらにヒューマンインタフェース装置３による切断（ソフト的な終了又は物理的な切断）を接続から切断への変化点で検出し、切断検出では仮保管エリア２1からＩＰアドレスを読み出し、新しいＩＰアドレスとしてその変更を行う。
【００２１】
このヒューマンインタフェース装置３との接続中と切断の検出によるＩＰアドレスの変更により、接続中のＩＰアドレスの変更を防止し、ＩＰアドレスが途中で変更されることによる伝送不能の発生を防止する。
【００２２】
（Ｓ２７，Ｓ２８）メインＣＰＵボード１の交換等によるＩＰアドレスが不明になったときのような緊急時や、ヒューマンインタフェース装置３からの要求などがあったとき、イーサネットボード２は、メインＣＰＵボード１からの指令により既知のＩＰアドレスへの強制変更を行う。この場合のＩＰアドレスは、既知のアドレスで、仮保管エリア２1に格納されているアドレスでない。また、仮保管エリア２1への既知ＩＰアドレスの書込みは行わない。
【００２３】
したがって、イーサネットボード２は、ヒューマンインタフェース装置３とは、既知のＩＰアドレスで接続し、メインＣＰＵボード１の仮保管エリアに設定されているＩＰアドレスを確認又は変更し、ヒューマンインタフェース装置３を切断することにより、ＩＰアドレスは確認又は変更されたＩＰアドレスで自動的に更新される。
【００２４】
【発明の効果】
以上のとおり、本発明によれば、ＩＰアドレスをメインＣＰＵボードが保管・管理し、このＩＰアドレスをイーサネットボードの仮保管エリアに書込んでヒューマンインタフェース装置と通信を行い、イーサネットボードには既知ＩＰアドレスの保管エリアを設けて現在のＩＰアドレスを保管しておき、メインＣＰＵボードの交換などでＩＰアドレスに不具合が起きたときに既知のＩＰアドレスを仮保管エリアに書込むようにしたため、メインＣＰＵボードの交換等に際してＩＰアドレスの自動再設定ができる。
【図面の簡単な説明】
【図１】本発明の実施形態を示すシステム構成図。
【図２】実施形態におけるフローチャート。
【符号の説明】
１…メインＣＰＵボード
２…イーサネットボード
３…ヒューマンインタフェース装置
１1…ＩＰアドレス管理エリア
２1…ＩＰアドレス仮保管エリア
２2…既知ＩＰアドレス保管エリア
【図１】
0003882371.tif 000002
【図２】
0003882371.tif 000003